(57)【要約】【課題】バスレフポートの開口部がサランネットや格子で覆われておらず、かつ十分な奥行きがなくバスレフポートの形状を内部で曲げざるを得ないスピーカーボックスであっても、バスレフポートの開口部からバスレフポート内部に指が挿入された場合に指が挟まれない構造を持つスピーカーボックスを提供することを可能にする。【課題を解決するための手段】人間の指径とほぼ同程度の内径を有するバスレフポートを有するスピーカーボックスであって、バスレフポートの内壁の一部は、その内径を拡大するように変形可能であるスピーカーボックスを提供する。また、かかるスピーカーボックスを有する薄型ディスプレイ装置を提供する。【選択図】図２
2007158977.tif 000002
【特許請求の範囲】
【請求項１】
人間の指径とほぼ同程度の内径を有するバスレフポートを有するスピーカーボックスであって、
バスレフポートの内壁の一部は、その内径を拡大するように変形可能であるスピーカーボックス。
【請求項２】
バスレフポートはその入り口から奥部にかけて屈曲領域を有し、
前記変形可能である前記内壁の一部は屈曲領域を含む領域に存する内壁である請求項１に記載のスピーカーボックス。
【請求項３】
前記内壁の一部は、弾性体からなる請求項１又は２に記載のスピーカーボックス。
【請求項４】
前記内壁の一部は、弾性体により変形後の復元力を与えられている請求項１から３のいずれか一に記載のスピーカーボックス。
【請求項５】
前記内壁の一部は、弾性体からなる内層とバスレフポートのうち当該内壁の一部以外の部分の内壁と同一材料の構造体からなる外層とから構成される二層構造である請求項１から４のいずれか一に記載のスピーカーボックス。
【請求項６】
請求項１から５のいずれか一に記載のスピーカーボックスを有する薄型ディスプレイ装置。
【発明の詳細な説明】
【技術分野】
【０００１】
本発明は、バスレフポートを有するスピーカーボックスの構造に関する。
【背景技術】
【０００２】
音響装置の再生機能を司るスピーカーにおいては、低音再生域の拡大を図るため、バスレフ方式（バスレフレックス方式）が広く用いられている。この方式は、スピーカーボックス内にバスレフポートと呼ばれる筒（スピーカーボックス前面に開口部を有する）を設け、スピーカーユニットの背面から放射された音（即ち、スピーカーボックス内に放射された音）の位相を反転させて開口部から放射し、これによりスピーカーボックス前面から放射される音と同位相にして低音域再生域を拡大する方式である。特に、近年普及している薄型ディスプレイ装置などに備えられたスピーカーボックスにおいては、その寸法の制約などからスピーカーの低音再生域が狭くなりがちであるため、かかるバスレフ方式が有用であり、バスレフポートを有するスピーカーボックスが広く普及している。
【０００３】
他方、この方式ではスピーカー前面にバスレフポートの開口部が存在する上、上記の寸法の制約などからバスレフポートの内径が一般に狭いため、この開口部からバスレフポート内部に誤って指が入ってしまい、狭い部分に指が挟まれて思わぬ怪我をすることがあった。このため、従来、スピーカー前面をサランネットや格子で覆ったり、スピーカーボックスに十分な奥行きがある場合には、バスレフポートの水平部分の長さを確保することにより、指が入っても狭い部分には届かないような構造にしたりしていた（例えば、特許文献１参照）。
図１４は、従来のスピーカーボックスの構造の一例を示す図であり、スピーカー前面を格子で覆ったものの概念図である。このうち、図１４（ａ）は、スピーカーボックス１４１０の正面図であり、（ｂ）は（ａ）のスピーカーボックスのＡ‐Ａ断面図である。同図（ｂ）に示すように、スピーカーボックスの下方にスピーカー１４２０が配され、中央から上方にかけてバスレフポート１４０１が配されている。バスレフポートは中央から上方付近にかけて垂直に形成された部分と、上方付近の屈曲した部分を介して水平に形成された部分からなり、スピーカーボックス前面に開口部１４０２を有する構造になっている。また、バスレフポートには開口部からやや奥まったところに格子１４３０が設けられていて、開口部からバスレフポート内部に誤って指が入ってしまうことがないようになっている。同図（ａ）では、バスレフポートの開口部１４０２、そこに設けられた格子１４３０及びスピーカー１４２０が示されている。
図１５は、従来のスピーカーボックスの構造の別の一例を示す図であり、スピーカーボックスに十分な奥行きがある場合に、バスレフポートの水平部分の長さを確保することにより、指が入っても狭い部分には届かないような構造にしたものの概念図である。同図ではバスレフポート１５０１の断面図のみを示したところ、図１４に示した例との違いは、開口部１５０２に格子が設けられていない点、及び水平に形成された部分の長さＬが開口部から指が挿入されても狭い部分まで届かない程度に十分確保されている点にある。なお、図示を省略したスピーカーボックスのその余の部分は図１４と同様である。
【特許文献１】特開平５‐１８３９７６号公報
【発明の開示】
【発明が解決しようとする課題】
【０００４】
しかし、スピーカー前面をサランネットや格子で覆うと、再生音の広がりが妨げられ、その音質、特に高音域の音質が悪くなるという問題が生じる。また、このようにスピーカー前面をサランネットや格子で覆ってしまうとデザイン上も違和感を与えたり美観を損ねたりするおそれがある。一方、バスレフポートの水平部分の長さを確保することにより指が入っても狭い部分には届かないような構造の場合は、スピーカーボックスに十分な奥行きがないと適用できず、特に薄型ディスプレイ装置などには利用できないという問題がある。即ち、従来のような奥行きの十分取れるスピーカーボックスであれば内部のバスレフポートの水平部分も人の指の長さ以上に十分に確保することができたので、バスレフポート内部の狭い部分に指が挟まれることはなかったのに対し、薄型ディスプレイ装置などにあっては、奥行きを十分確保することができないためにバスレフポートの形状を内部で曲げざるを得ず、このためバスレフポート内部の狭い部分に指が挟まれて怪我をするという事態を防ぐことができなかった。
【０００５】
そこで、本発明が解決すべき課題は、バスレフポートの開口部がサランネットや格子で覆われておらず、かつ十分な奥行きがなくバスレフポートの形状を内部で曲げざるを得ないスピーカーボックスであっても、バスレフポートの開口部からバスレフポート内部に指が挿入された場合に指が挟まれない構造を持つスピーカーボックスを提供することにある。
【課題を解決するための手段】
【０００６】
以上の課題を解決するため、本発明のうち請求項１に記載の発明は、人間の指径とほぼ同程度の内径を有するバスレフポートを有するスピーカーボックスであって、バスレフポートの内壁の一部は、その内径を拡大するように変形可能であるスピーカーボックスを提供する。また、請求項２に記載の発明は、バスレフポートはその入り口から奥部にかけて屈曲領域を有し、前記変形可能である前記内壁の一部は屈曲領域を含む領域に存する内壁である請求項１に記載のスピーカーボックスを提供する。また、請求項３に記載の発明は、前記内壁の一部は、弾性体からなる請求項１又は２に記載のスピーカーボックスを提供する。また、請求項４に記載の発明は、前記内壁の一部は、弾性体により変形後の復元力を与えられている請求項１から３のいずれか一に記載のスピーカーボックスを提供する。また、請求項５に記載の発明は、前記内壁の一部は、弾性体からなる内層とバスレフポートのうち当該内壁の一部以外の部分の内壁と同一材料の構造体からなる外層とから構成される二層構造である請求項１から４のいずれか一に記載のスピーカーボックスを提供する。さらに、請求項６に記載の発明は、請求項１から５のいずれか一に記載のスピーカーボックスを有する薄型ディスプレイ装置を提供する。
【発明の効果】
【０００７】
本発明により、バスレフポートの開口部がサランネットや格子で覆われておらず、かつ十分な奥行きがなくバスレフポートの形状を内部で曲げざるを得ないスピーカーボックスであっても、バスレフポートの開口部からバスレフポート内部に指が挿入された場合に指が挟まれない構造を持つスピーカーボックスを提供することができる。
【発明を実施するための最良の形態】
【０００８】
以下に、本発明の実施例を説明する。実施例と請求項の相互の関係は以下のとおりである。実施例１は主に請求項１、請求項４などに関し、実施例２は主に請求項２などに関し、実施例３は主に請求項３などに関し、実施例４は主に請求項５などに関し、実施例５は主に請求項６などに関する。なお、本発明はこれら実施例に何ら限定されるものではなく、その要旨を逸脱しない範囲において、種々なる態様で実施しうる。
【実施例１】
【０００９】
<概要>
本実施例のスピーカーボックスは、人間の指径とほぼ同程度の内径を有するバスレフポートを有し、そこに指が挿入されても、バスレフポートの内壁の一部がその内径を拡大するように変形可能であるために、指が挟まれることがない構造とした点に特徴を有するものである。
【００１０】
<構成>
図１は、本実施例のスピーカーボックスのバスレフポートの構造の一例を示す概念図であり、図１４などと同様のバスレフポートの断面を示す図である。同図に示すように、本実施例のスピーカーボックスのバスレフポート０１０１は、その垂直部分における内径Ｌ１が人間の指径とほぼ同程度、即ち、概ね１ｃｍ程度である。「バスレフポート」とは、スピーカーボックス内に設けられた筒であって、スピーカーボックス前面に開口部０１０２を有し、スピーカーユニットの背面から放射された音（即ち、スピーカーボックス内に放射された音）の位相を反転させて開口部から放射するための筒である。なお、スピーカーボックスについては図示を省略したが、バスレフポートがスピーカーボックス内に占める位置は当業者の適宜の設計事項であり、例えば図１４で示した従来のスピーカーボックスの場合と同じであってもよい。そして、本実施例のバスレフポートの内壁０１０３の一部０１０４は、内径を拡大するように変形可能である。
【００１１】
そこで、次にバスレフポートの内壁の一部が変形可能であることの具体的構成の一例について説明する。図１に示すように、内壁の一部０１０４は、内壁のその他の部分とは切り離された別部品によって構成されている。そして、当該内壁の一部の外側には弾性体０１０５が配置されている。又、当該内壁の一部がその上側において内壁のその他の部分と接するところ０１０６では、当該内壁の一部が水平方向にスライド可能な構造となっている。また、当該内壁の一部の下側にはストッパー０１０７が設けられている。そして通常の状態、即ち、バスレフポートの内部に指が入っていない状態では、当該内壁の一部の外側に配置された弾性体の付勢力により、当該内壁は開口部の逆の方向（図の矢印Ａ方向）に押し出される一方、内壁の下側に形成されたストッパーにより、当該内壁の一部はその下に接する内壁面よりさらに矢印Ａ方向に押し出されることはなく、この結果当該内壁の一部とその下に接する内壁面とが同一面を形成する。なお、同図の例では弾性体はゴムを想定しているが、弾性体の種類に特に限定はなく、例えば弾性体が弾性樹脂（例えばゴム弾性樹脂、ポリウレタン樹脂）やバネであってもよい。また、図示を省略したが、弾性体はその左側側面０１０８において直接に又は他の部材を介して間接にスピーカーボックスに固定されていて、弾性体全体がこれ以上開口部の方向に動くことがないようになっている。
一方、バスレフポートの開口部０１０２からバスレフポート内部に指０１０９が挿入された場合、図１に示すように、通常の状態のままでは、バスレフポートの内径Ｌ１が狭いために、指が挟まれた状態になってしまう。そこで、本実施例のスピーカーボックスのバスレフポートにおいては、指をバスレフポートの開口部方向（矢印Ｂ方向）に動かすことによりバスレフポートの内壁の一部０１０４が矢印Ｂ方向に移動することで空間が広がり、挿入された指を容易に抜くことができる構造になっている。
【００１２】
図２は、同じく本実施例のスピーカーボックスのバスレフポートの構造の一例を示す概念図であって、挿入された指０２０９をバスレフポート開口部０２０２の方向（矢印Ｂ方向）に動かすことにより、内壁の一部０２０４が矢印Ｂ方向にスライドし、空間が広がった状態を示す。具体的には当該内壁の一部の箇所においてはバスレフポートの内径がＬ２に広がった状態になっている。そして、上述のように弾性体０２０５の左端面０２０８が固定されているため、指を抜いた後は弾性体の復元力により内壁の一部が再び図１で示した通常の状態の位置まで戻ることになる。なお、同図には明示はされていないが、Ｌ１、Ｌ２の寸法の一例として、それぞれ９ｍｍ、１５ｍｍである場合を挙げることができる。これは他の実施例においても同様である。
【００１３】
上の説明を補足するため、図３、図４は、それぞれ図１、図２に示すバスレフポートの断面の一例のうち、当該内壁の一部をさらに拡大して示した図である。
図３に示すように、内壁の一部０３０４は、内壁のその他の部分とは切り離された別部品によって構成され、図中矢印Ａ方向及びＢ方向にスライド可能な構造になっている。そして、通常の状態では、当該内壁の一部０３０４は、弾性体０３０５の付勢力により矢印Ａ方向に押し出されるとともに、当該内壁の一部の下端に設けられたストッパー０３０７により、内壁の一部の下側に位置する内壁０３０３と同一面を形成する。なお、内壁の一部を他の内壁に添設してこれをスライド可能な状態で保持するための構造としては、例えば同図で示すように、開口部に近い内壁の下側部分に段差が設けられ、この段差により開口部に近い内壁の下側部分と弾性体との間に生じる隙間に内壁の一部が挿入される形でスライド可能な構造になっているものが考えられる。そして、この例では、通常の状態では、開口部に近い内壁の下側部分０３１０に設けられた段差の左端面０３１１と内壁の一部の左端面０３１２との間には隙間０３１３が生じることとなる。ただし、これはあくまで一例であり、内壁の一部を内壁のその他の部分に添設してこれをスライド可能な状態で保持するための構造は当業者の適宜の設計事項である。
【００１４】
次に、図４は、バスレフポートに挿入された指により内壁の一部０４０４が矢印Ｂ方向に押され、開口部に近い内壁の下側部分０４０４に設けられた段差の左端面０４１１と内壁の一部の左端面０４１２とが互いに接するところまでスライドした状態を示す。このとき弾性体０４０５は左端が固定された状態で圧縮された状態になっており、又内壁の一部の垂直面、即ち、その下側の内壁と同一面を形成していた部分はスライドした距離分左側にずれた状態になっている。このため、通常状態では人間の指径とほぼ同程度であったバスレフポートの内径（図３においてＬ１で示す）が当該部分においてスライドした距離分だけ広がり（即ち、その内径がＬ２で示す寸法となる）、指を容易に抜くことが可能となる。
【００１５】
なお、以上の構造において、指を抜く際に開口部に近い内壁の下側部分が矢印Ａ方向に飛び出していると、そこに指が引っ掛かりうまく抜けないおそれがある。従って、内壁の一部がＢ方向に押された状態（即ち、指を抜くときの状態）において、開口部に近い内壁の下側部分と内壁の一部が滑らかな曲面を形成するようにバスレフポートの各部の形状、寸法が定められていることが好ましい。図４で示したものは、かかる好適な例である。
【００１６】
図５は、上例に示す構造との比較のための参考図であって、指を抜く際に開口部に近い内壁の下側部分が矢印Ａ方向に飛び出している好適でない例を示したものである。図中丸で囲んだ部分０５０１が飛び出した部分であり、ここに指が引っ掛かりうまく抜けないおそれがあり、また、ここに指を挟まれて怪我をするおそれもある。なお、バスレフポートの各部の具体的な形状、寸法は当業者の適宜の設計事項であり、図４などを用いて説明したもののほかにも様々な形状、寸法のものが該当し得る。
【００１７】
また、以上の構造において、内壁の一部が内壁のその他の部分とは切り離された別部品によって構成されていることから、通常の状態において、バスレフポートが無用の振動を生じ音質を損なうことも考えられる。そこで、かかる弊害を防止するための措置が講じられていることが好ましい。具体的には、例えば、バスレフポートの材質として一般に固有共振が小さく周囲の振動の影響を受けにくい硬質紙を使用するとか、内壁の一部が内壁の他の部分と接触する部分に防振用の弾性材料（ゴムなど）や布（フェルトなど）を貼り付けるといった方法が考えられる。
【００１８】
以上においては、バスレフポートの内壁の一部がその内径を拡大するように変形可能であることの具体的構成として、他の内壁に添設された内壁の一部がスライド可能な状態で保持されている構造の例で説明したが、別の具体的構成としては、例えば、内壁の一部自体が弾性体からなっている例や内壁の一部が弾性体からなる内層とそれ以外の材料からなる外層の二層構造になっている例も考えられる。
【００１９】
<効果>
本実施例により、スピーカーボックスに十分な奥行きがない場合でも適用可能であり、かつ再生音の音質を悪化させないような構造を維持しつつ、スピーカー前面のバスレフポートの開口部からバスレフポート内部に指が入った場合でも指が挟まれないバスレフ構造を持つスピーカーボックスを提供することができる。
【実施例２】
【００２０】
<概要>
本実施例のスピーカーボックスは、基本的に実施例１のスピーカーボックスと共通するが、バスレフポートはその入り口から奥部にかけて屈曲領域を有し、前記変形可能である前記内壁の一部は屈曲領域を含む領域に存する内壁である点に特徴を有する。
【００２１】
<構成>
図６は、本実施例のスピーカーボックスのバスレフポートの構造の一例を示す概念図であり、かかるバスレフポートの当該内壁の一部を拡大して示した断面図である。同図に示すように、本実施例のバスレフポート０６０１は、入り口から奥部にかけて屈曲領域を有する。「入り口から奥部にかけて」とは、概ね図中丸で囲んだ部分０６０２を示す。ただし、ここで「入り口」とはスピーカーボックス前面に設けられたバスレフポートの開口部付近をいい、「奥部」とはそれより奥まった部分をいうところ、どちらも厳密な位置を示すものではなく、従って「入り口から奥部にかけて」の範囲も厳密に定められるものではない。換言すれば、具体的にどこにバスレフポートの屈曲領域を設けるかは、入り口から奥部にかけての領域内であれば当業者の適宜の設計事項である。
このように屈曲領域を有するバスレフポートは、開口部が前面に設けられる関係上開口部付近では水平に形成されるにもかかわらず、スピーカーユニット背面付近にかけて垂直に形成することができるので、スピーカーユニット背面に放射された音を拾いやすいという特徴があり、一般に低音域再生域の拡大に優れたものである。また、一般にバスレフポートの共振周波数はスピーカーボックスの容積、管の断面積及び管の長さによって決まるとされることから、かかる屈曲領域を有するバスレフポートは、スピーカーボックスの容積などに応じた最適な音響特性を得るために望ましい管の長さを実現しやすいという特徴も有する。
また、本実施例のスピーカーボックスのバスレフポートの変形可能な内壁の一部をかかる屈曲領域に設けたのは、指による内壁の一部を押す動作を容易にし、指がスムーズに抜けやすい構造とすることを目的としたためである。これは、一般に水平領域や垂直領域に当該内壁の一部を設ける場合に比べ、無理な指の動きを必要としないと考えられるためである。なお、かかる指がスムーズに抜けやすい構造という観点からは、屈曲領域における屈曲は例えばＬ字形のように角のある面で構成されるものではなく、緩やかな曲面で構成されるものの方が好ましい。
【００２２】
<効果>
本実施例により、スピーカー前面のバスレフポートの開口部からバスレフポート内部に指が挿入された場合でも指が挟まれず、より容易に抜くことができるスピーカーボックスを提供することができる。
【実施例３】
【００２３】
<概要>
本実施例のスピーカーボックスは、基本的に実施例１又は２のスピーカーボックスと共通するが、内壁の一部が弾性体からなる点に特徴を有する。
【００２４】
<構成>
図７は、本実施例のスピーカーボックスのバスレフポートの構造の一例を示す概念図であり、かかるバスレフポートの当該内壁の一部を拡大して示した断面図である。なお、バスレフポートのその余の部分及びスピーカーボックスについては図示を省略したが、バスレフポートがスピーカーボックス内に占める位置は当業者の適宜の設計事項であり、例えば図１４で示した従来のスピーカーボックスの場合と同じであってもよい。
図７に示すように、本実施例のスピーカーボックスのバスレフポート０７０１は、内壁の一部０７０４が弾性体からなる。弾性体の種類は問わない。例えば、ゴム（天然ゴム、合成ゴムの双方を含む）、弾性樹脂（例えばゴム弾性樹脂、ポリウレタン樹脂）が該当する。なお、弾性体は、内壁の他の部分（当該内壁の一部に隣接する部分）０７０２、０７０３と本図の例のように互いの組合せ形状を工夫することにより接着剤等で貼り合せることなしに保持可能なように構成されていてもよいし、接着剤等で貼り合わせることにより保持可能なように構成されていてもよい。また、本図では図示を省略したが、弾性体の左端面０７０８は他の部材によって固定されるなどにより、これ以上Ｂ方向に移動することはないようになっている。
同図は通常の状態を示すものであるが、弾性体は、Ｂ方向に押されることによりその内径を拡大するように変形可能であるように構成されている。
図８は、同じく本実施例のスピーカーボックスのバスレフポートの構造の一例を示す概念図であって、図７に示した弾性体がＢ方向に押されて変形し、当該部分の内径が広がった状態を示すものである。同図で、点線で示したライン０８０１が図７で示したのと同じ通常の状態のときの内壁面を示し、実線で示したライン０８０４が押された状態での内壁面を示す。この結果、当該部分の内径はＬ１からＬ２に拡大し、指が抜きやすくなる。
【００２５】
<効果>
本実施例により、スピーカー前面のバスレフポートの開口部からバスレフポート内部に指が挿入された場合でも指が挟まれず、より容易に抜くことができるスピーカーボックスを提供することができる。
【実施例４】
【００２６】
<概要>
本実施例のスピーカーボックスは、基本的に実施例１から３のいずれか一のスピーカーボックスと共通するが、内壁の一部が、弾性体からなる内層とバスレフポートのうち当該内壁の一部以外の部分の内壁と同一材料の構造体からなる外層とから構成される二層構造である点に特徴を有する。
【００２７】
<構成>
図９は、本実施例のスピーカーボックスのバスレフポートの構造の一例を示す概念図であり、かかるバスレフポートの当該内壁の一部を拡大して示した断面図である。なお、バスレフポートのその余の部分及びスピーカーボックスについては図示を省略したが、バスレフポートがスピーカーボックス内に占める位置は当業者の適宜の設計事項であり、例えば図１４で示した従来のスピーカーボックスの場合と同じであってもよい。
同図に示すように、本実施例のスピーカーボックスのバスレフポート０９０１は、内壁の一部０９０２が内層０９０３と外層０９０４の二層構造になっている（同図から明らかなように、「内層」とはバスレフポートのスピーカーボックス側（即ち、内径側ではない側）にあって挿入された指が直接触れない側の層をいい、「外層」とは内層の内径側にあって内層を覆っている側、即ち、指が直接触れる側をいう）。そして、内層は弾性体からなり、外層はバスレフポートのうち当該内壁の一部以外の部分の内壁と同一材料の構造体からなる。弾性体の種類は問わない点は、他の実施例の場合と同様である。また、外層の材料も内壁の一部以外の部分の内壁と同一材料であればその種類は問わない。ただし、指で押したときに指が抜きやすい程度にまで変形可能であり、また、指を抜いた後に弾性体の復元力により元の形状に戻ることが可能である程度の非可塑性を有することを要する。かかる観点から、当該材料として好適にはプラスチックなどが考えられる。
なお、かかる場合において、当該内壁の一部である外層は、内壁の他の部分と一体に成形されていることが、バスレフポートの音響特性を損なうことがないようにするとの観点から望ましい。
また、本実施例の場合は、実施例１で図２などを用いて説明したような他の内壁に添設された内壁の一部がスライド可能な状態で保持されている構造の例や、実施例３で図８などを用いて説明した内壁の一部が弾性体からなる構造の例と異なり、挿入された指で内壁の一部を押した場合に、内壁の他の部分にも力が加わる可能性がある。従って、内壁の他の部分のうち、少なくとも当該内壁の一部に隣接する部分（概ね挿入された指が届く範囲の部分）は、その左側側面において直接に又は他の部材を介して間接にスピーカーボックスに固定されていることが望ましい。
同図は通常の状態を示すものであるが、当該内壁の一部は、Ｂ方向に押されることによりその内径を拡大するように変形可能であるように構成されている。
図１０は、同じく本実施例のスピーカーボックスのバスレフポートの構造の一例を示す概念図であって、図９に示した内壁の一部がＢ方向に押されて変形し、当該部分の内径が広がった状態を示すものである。同図で、点線で示したライン１００１が図９で示したのと同じ通常の状態のときの内壁面を示し、実線で示したライン１００４が押された状態での内壁面を示す。この結果、当該部分の内径はＬ１からＬ２に拡大し、指が抜きやすくなる。
以上の場合において、内壁の他の部分も同様の弾性体からなる内層と外層から構成される二層構造になっていてもよいし、当該内壁の一部だけがかかる二層構造になっていてもよい。
【００２８】
以上においては、主として内壁の一部の外層の厚みが内壁の他の部分の厚みとほぼ同じである場合の例を念頭に置いて説明したが、本実施例のスピーカーボックスはかかる構造のものに限られず、例えば、外層の厚みが内壁の他の部分の厚みより薄く、内層と外層を合わせた厚みと内壁の他の部分の厚みとの差が上の例の場合より小さいような構造になっていてもよい。
図１１は、かかるスピーカーボックスのバスレフポートの構造の一例を示す概念図である。同図では、バスレフポート１１０１の内壁の一部１１０２のうち外層１１０４の厚みが内壁の他の部分１１０５の厚みより薄く、内層１１０３と外層を合わせた部分の厚みと内壁の他の部分の厚みとの差が上の例の場合より小さいことが示されている。このように構成した場合には、弾性体を含めたバスレフポート全体の内壁の厚みをより薄くすることができる。
同図は通常の状態を示すものであるが、弾性体は、Ｂ方向に押されることによりその内径を拡大するように変形可能であるように構成されている。
図１２は、同じくかかるスピーカーボックスのバスレフポートの構造の一例を示す概念図であって、図１１に示した弾性体がＢ方向に押されて変形し、当該部分の内径がＬ１からＬ２に広がった状態を示すものである。その具体的構成は、上で図１０を用いて説明したところと同様である。
【実施例５】
【００２９】
<概要>
本実施例の装置は、実施例１から４のいずれか一のスピーカーボックスを有する薄型ディスプレイ装置である。
【００３０】
<構成>
図１３は、本実施例の薄型ディスプレイ装置の一例を示す概略図であり、（ａ）は正面図、（ｂ）は側面図を表す。本例の装置は薄型液晶テレビである。当該薄型ディスプレイ装置１３００は、左右にスピーカーボックス１３０１を備え、それぞれのスピーカーボックスは、スピーカー１３０２及びバスレフポート開口部１３０３を有する。なお、図示は省略したが、それぞれのスピーカーボックスは内部にバスレフポートを有するところ、その構成は実施例１から４のいずれか一のスピーカーボックスについて示したところと同様である。即ち、本実施例の薄型ディスプレイ装置が有するスピーカーボックスのバスレフポートは、その内壁の一部がその内径を拡大するように変形可能であるように構成されている。その際、バスレフポートがその入り口から奥部にかけて屈曲領域を有し、変形可能である内壁の一部は屈曲領域を含む領域に存する内壁であるように構成されていてもよい。また、内壁の一部が弾性体からなるものであってもよい。また、内壁の一部が弾性体により変形後の復元力を与えられているものであってもよい。さらに、内壁の一部が弾性体からなる内層とバスレフポートのうち当該内壁の一部以外の部分の内壁と同一材料の構造体からなる外層とから構成される二層構造であるものであってもよい。
【００３１】
参考までに、かかる薄型ディスプレイ装置の寸法の一例を図１３に記入した（単位はｍｍである）。同図に示すものは、３２型薄型液晶テレビの寸法の一例である。特に、（ｂ）に示すように、当該装置のスピーカーボックス部分の奥行きは外寸で１１０ｍｍ程度しかない。このため、ボックス内部に設けるバスレフポートの水平部分を人の指が中の狭い部分に届かない程度に十分に確保することができず、バスレフポートの形状を内部で曲げざるを得ない。例えば、本例の３２型薄型液晶テレビの場合、図示は省略したが、バスレフポートの水平部分の長さは１４ｍｍ、バスレフポートの垂直部分の内径は１８ｍｍ程度となる。こうしたことから、実施例１から４で述べた構造を有するスピーカーボックスをかかる薄型ディスプレイ装置に備えることが極めて有用となる。
なお、同図では薄型ディスプレイ装置が薄型液晶テレビである場合の例で説明したが、本実施例の薄型ディスプレイ装置はこれに限られず、ディスプレイ及びスピーカーボックスを備える薄型の装置であれば何でもよい。例えば、薄型ブラウン管テレビ、薄型プラズマテレビ、薄型ＤＶＤプレーヤー、ノートパソコン等であってもよい。これら他の例の装置においても、スピーカーボックスの奥行きは上例の３２型薄型液晶テレビの場合と概ね同じかむしろそれ以下であり、上に述べたような構造のスピーカーボックスを備えることの有用性は何ら異ならない。
【００３２】
<効果>
本実施例により、スピーカー前面のバスレフポートの開口部からバスレフポート内部に指が挿入された場合でも指が挟まれず、より容易に抜くことができるスピーカーボックスを有する薄型ディスプレイ装置を提供することができる。
【図面の簡単な説明】
【００３３】
【図１】実施例１のスピーカーボックスのバスレフポートの構造の一例を示す概念図
【図２】実施例１のスピーカーボックスのバスレフポートの構造の一例を示す概念図
【図３】実施例１のスピーカーボックスのバスレフポートの断面の一例のうち内壁の一部をさらに拡大して示した図
【図４】実施例１のスピーカーボックスのバスレフポートの断面の一例のうち内壁の一部をさらに拡大して示した図
【図５】実施例１のスピーカーボックスのバスレフポートの構造との比較のための参考図
【図６】実施例２のスピーカーボックスのバスレフポートの構造の一例を示す概念図
【図７】実施例３のスピーカーボックスのバスレフポートの構造の一例を示す概念図
【図８】実施例３のスピーカーボックスのバスレフポートの構造の一例を示す概念図
【図９】実施例４のスピーカーボックスのバスレフポートの構造の一例を示す概念図
【図１０】実施例４のスピーカーボックスのバスレフポートの構造の一例を示す概念図
【図１１】実施例４のスピーカーボックスのバスレフポートの構造の一例を示す概念図
【図１２】実施例４のスピーカーボックスのバスレフポートの構造の一例を示す概念図
【図１３】実施例４の薄型ディスプレイ装置の一例を示す概略図
【図１４】従来のスピーカーボックスの構造の一例を示す図
【図１５】従来のスピーカーボックスの構造の一例を示す図
【符号の説明】
【００３４】
０１０１      バスレフポート
０１０２      開口部
０１０３      内壁
０１０４      内壁の一部
０１０５      弾性体
０１０６      内壁の一部がその上側において内壁のその他の部分と接するところ
０１０７      ストッパー
０１０８      弾性体の左側側面
０１０９      指
０２０１      バスレフポート
０２０２      開口部
０２０３      内壁
０２０４      内壁の一部
０２０５      弾性体
０２０６      内壁の一部がその上側において内壁のその他の部分と接するところ
０２０７      ストッパー
０２０８      弾性体の左側側面
０２０９      指
【図１】
2007158977.tif 000003
【図２】
2007158977.tif 000004
【図３】
2007158977.tif 000005
【図４】
2007158977.tif 000006
【図５】
2007158977.tif 000007
【図６】
2007158977.tif 000008
【図７】
2007158977.tif 000009
【図８】
2007158977.tif 000010
【図９】
2007158977.tif 000011
【図１０】
2007158977.tif 000012
【図１１】
2007158977.tif 000013
【図１２】
2007158977.tif 000014
【図１３】
2007158977.tif 000015
【図１４】
2007158977.tif 000016
【図１５】
2007158977.tif 000017